(57)【要約】【課題】圧力に弱い電子部品であっても高品質を確保した上で、電動機内に内蔵し、外被モールドを実現できる電動機の提供を目的とする。【解決手段】コンデンサの金属ケース２３下端において、２本のリード端子を結ぶ方向に対して略垂直方向に、対角２ヶ所に接着剤２５を塗布して基板１６に固定した後に熱硬化性樹脂１７にてモールド成形する電動機１の構成により、対角２ヶ所の接着剤２５の間を通り、封口ゴム２４下部の樹脂流動圧によって、金属ケース２３の内圧が上昇して、天面２３ａ上部の流動圧と略同等になり、金属ケース２３を潰す応力が掛からないので、金属ケース２３の潰れを防止できる。また、リード端子に掛かる樹脂の流動荷重が接着剤２５により緩和されることから、金属ケース２３内部の捲回素子とリード端子の接合部にはストレスが掛からないため、漏れ電流の増加を一層抑制した高品質化を実現できるという効果のある電動機を提供できる。【選択図】 図１
2006014478.tif 000002
【特許請求の範囲】
【請求項１】
スロットを有する固定子鉄心に絶縁体を介して電機子巻線を巻装した固定子と、この固定子に対向して回転自在に保持した回転子と、前記電機子巻線への通電を制御し、前記回転子を回転制御する駆動回路を基板上に配置し、この基板と前記固定子は樹脂にて一体的にモールド成形されて外被を形成し、前記駆動回路は前記電機子巻線への電流を供給するスイッチング素子群と、このスイッチング素子群のＯＮ・ＯＦＦ制御を所定の方向と順序で制御する駆動ロジック制御手段と、前記電機子巻線に供給される電圧を平滑するコンデンサより成り、このコンデンサは有天面円筒状の金属ケース内に陽極箔と陰極箔を捲回した捲回素子を収納し、ゴムで封口し、この封口ゴムを貫通して突出した陽極リード端子と陰極リード端子にて形成され、前記基板への実装固定は、直立させるとともに、前記金属ケース下端の対角２ヶ所に接着剤を塗布して固定したことを特徴とする電動機。
【請求項２】
スロットを有する固定子鉄心に絶縁体を介して電機子巻線を巻装した固定子と、この固定子に対向して回転自在に保持した回転子と、同一の基板上に外部より供給される電源電圧を平滑するコンデンサと、前記電機子巻線への通電を制御し、前記回転子を回転制御する駆動回路とを備え、前記基板と前記固定子は樹脂にて一体的にモールド成形されて外被を形成し、前記駆動回路は前記電機子巻線への電流を供給するスイッチング素子群と、このスイッチング素子群のＯＮ・ＯＦＦ制御を所定の方向と順序で制御する駆動ロジック制御手段より成り、前記コンデンサは有天面円筒状の金属ケース内に陽極箔と陰極箔を捲回した捲回素子を収納し、ゴムで封口し、この封口ゴムを貫通して突出した陽極リード端子と陰極リード端子にて形成され、前記基板への実装固定は、直立させるとともに、前記金属ケース下端の対角２ヶ所に接着剤を塗布して固定したことを特徴とする電動機。
【請求項３】
前記接着剤の塗布箇所は前記陽極リード端子から前記陰極リード端子に向かう方向に対して略垂直方向としたことを特徴とする請求項１または２記載の電動機。
【請求項４】
前記コンデンサの天面は半球形状としたことを特徴とする請求項１〜３のいずれかに電動機。
【請求項５】
前記コンデンサの天面には凸部を設けたことを特徴とする請求項１〜３のいずれかに記載の電動機。
【請求項６】
前記コンデンサは電解質を有機導電性化合物にて形成した固体電解コンデンサとしたことを特徴とする請求項１〜５のいずれかに記載の電動機。
【請求項７】
前記コンデンサの天面近傍にはモールド成形時に発生するガスを逃がすガス排出部を設けたことを特徴とする請求項１〜６のいずれかに記載の電動機。
【発明の詳細な説明】
【技術分野】
【０００１】
本発明は、主にパイプファンや天井埋め込み型等の排気用および給気用の換気装置や、送風機、加湿機、除湿機、冷凍機器、空気調和機、給湯機などのファン駆動用の電動機に関するものである。
【背景技術】
【０００２】
近年、換気装置等の電気機器に搭載するファン駆動用の電動機においては、低価格化、高効率化、静音化が強く求められており、誘導電動機では大幅な高効率化は困難であることから、永久磁石を使用したブラシレスＤＣモータが増えてきている。
【０００３】
従来、この種の電動機は、配線基板に設けられたコンデンサを保護ケースによって覆い、その後モールド樹脂によってモールド成形されたものが知られている（例えば、特許文献１参照）。
【０００４】
以下、その電動機について図７および図８を参照しながら説明する。
【０００５】
図に示すように、合成樹脂製の箱体である保護ケース１０１は、前面に扉１０２が開閉自在に設けられ、底面には前面の開口部から連続して一対の切欠部１０３に有天面円筒形状のアルミ電解コンデンサ１０４の一対の脚１０５を挿入し、アルミ電解コンデンサ１０４を保護ケース１０１内部に収納する。その後、扉１０２を閉じ、保護ケース１０１内部にアルミ電解コンデンサ１０４の本体を完全に収納する。このような状態の後に、配線基板１０６をモールド樹脂１０７によってモールド成形した構成としている。
【０００６】
また、この種の電動機には補強リブと中央部が高くなる湾曲上面を有する部品収容ケースに電解コンデンサを横倒しにして収容した後、モールド樹脂によってモールド成形されたものもある（例えば、特許文献２参照）。
【０００７】
以下、その電動機について図９〜図１１を参照しながら説明する。
【０００８】
図に示すように、保護ケース１１２は内面に補強リブ１１４を有する部品収容ケース１１３と、この部品収容ケース１１３にシートヒンジ１１９で連結され、内面に補強リブ１１４を有し、湾曲上面１１６をもつ形状に形成された蓋ケース１１５より成り、電解液を含有した有天面円筒形状の電解コンデンサ１１１は部品収容ケース１１２に収容され、そのリード端子１１７はリード端子引き出し溝１１８を通して下方に引き出され、蓋ケース１１５を閉じた後に、プリント基板１２１ごとモールド樹脂１２０によってモールド成形した構成としている。
【特許文献１】特開２００１−３３９９０９号公報
【特許文献２】特開２００３−３１９６１５号公報
【発明の開示】
【発明が解決しようとする課題】
【０００９】
このような従来の電動機によれば、モールド成形時にアルミ電解コンデンサを保護するための保護ケースを別部材として使用するため、加工工数の増加や、コストが高くなるという課題があり、保護ケースを使用しなくてもコンデンサの破損を防止できることが要求されている。
【００１０】
また、電解コンデンサの天面は圧力が加わる方向に変形しやすいため、モールド樹脂の射出圧力は直接受けないが、コンデンサ周りの空気が圧縮されることによって、天面が潰れてケース内部の捲回素子を押し、素子と異極のリード端子が接触して漏れ電流が増加する可能性を有しているという課題があり、ケース天面が確実に潰れないことが要求されている。
【００１１】
また、アルミ電解コンデンサは電解液を含有するために、通電時は常に化学反応によりガスが発生し、封口ゴム部よりガスがコンデンサケースの外部に出ることから、マイグレーションを引き起こす可能性を有しているという課題があり、マイグレーション発生の可能性を確実に防止できることが要求されている。
【００１２】
本発明は、このような従来の課題を解決するものであり、モールド成形しても別部材となる保護ケースを使用することなく、コンデンサの破損や、漏れ電流の増加や、マイグレーションの発生のない高品質の電動機を提供することを目的としている。
【課題を解決するための手段】
【００１３】
本発明の電動機は上記目的を達成するために、スロットを有する固定子鉄心に絶縁体を介して電機子巻線を巻装した固定子と、この固定子に対向して回転自在に保持した回転子と、前記電機子巻線への通電を制御し、前記回転子を回転制御する駆動回路を基板上に配置し、この基板と前記固定子は樹脂にて一体的にモールド成形されて外被を形成し、前記駆動回路は前記電機子巻線への電流を供給するスイッチング素子群と、このスイッチング素子群のＯＮ・ＯＦＦ制御を所定の方向と順序で制御する駆動ロジック制御手段と、前記電機子巻線に供給される電圧を平滑するコンデンサより成り、このコンデンサは有天面円筒状の金属ケース内に陽極箔と陰極箔を捲回した捲回素子を収納し、ゴムで封口し、この封口ゴムを貫通して突出した陽極リード端子と陰極リード端子にて形成され、前記基板への実装固定は、直立させるとともに、前記金属ケース下端の対角２ヶ所に接着剤を塗布して固定したことを特徴とする電動機の構成としたものである。
【００１４】
この手段により、コンデンサの金属ケース下端の対角２ヶ所に塗布された接着剤の間を通り、コンデンサの封口ゴム下部を流動するモールド樹脂の流動圧により、金属ケース内の圧力が上昇し、金属ケース内の圧力と天面上部を流動するモールド樹脂の流動圧とが略同等になるので、金属ケースの側面および天面の潰れが防止できるので、コンデンサの破損や、漏れ電流の増加を抑制した高品質の電動機が得られる。
【００１５】
また、本発明の電動機は上記目的を達成するために、スロットを有する固定子鉄心に絶縁体を介して電機子巻線を巻装した固定子と、この固定子に対向して回転自在に保持した回転子と、同一の基板上に外部より供給される電源電圧を平滑するコンデンサと、前記電機子巻線への通電を制御し、前記回転子を回転制御する駆動回路とを備え、前記基板と前記固定子は樹脂にて一体的にモールド成形されて外被を形成し、前記駆動回路は前記電機子巻線への電流を供給するスイッチング素子群と、このスイッチング素子群のＯＮ・ＯＦＦ制御を所定の方向と順序で制御する駆動ロジック制御手段より成り、前記コンデンサは有天面円筒状の金属ケース内に陽極箔と陰極箔を捲回した捲回素子を収納し、ゴムで封口し、この封口ゴムを貫通して突出した陽極リード端子と陰極リード端子にて形成され、前記基板への実装固定は、直立させるとともに、前記金属ケース下端の対角２ヶ所に接着剤を塗布して固定したことを特徴とする電動機の構成としたものである。
【００１６】
この手段により、コンデンサの金属ケース下端の対角２ヶ所に塗布された接着剤の間を通り、コンデンサの封口ゴム下部を流動するモールド樹脂の流動圧により、金属ケース内の圧力が上昇し、金属ケース内の圧力と天面上部を流動するモールド樹脂の流動圧とが略同等になるので、金属ケースの側面および天面の潰れが防止できるので、コンデンサの破損や、漏れ電流の増加を抑制した高品質の電動機が得られる。
【００１７】
また、本発明の電動機は上記目的を達成するために、接着剤の塗布箇所は前記陽極リード端子から前記陰極リード端子に向かう方向に対して略垂直方向としたことを特徴とする電動機の構成としたものである。
【００１８】
この手段により、リード端子に掛かるモールド樹脂の流動による荷重が接着剤により緩和されることから、金属ケース内部の捲回素子とリード端子の接合部にはストレスが掛からないので、漏れ電流の増加を一層抑制した高品質の電動機が得られる。
【００１９】
また、本発明の電動機は上記目的を達成するために、コンデンサの天面は半球形状としたことを特徴とする電動機の構成としたものである。
【００２０】
この手段により、コンデンサの天面の強度が上がることから、金属ケースの天面の潰れが防止できるので、コンデンサの破損や、漏れ電流の増加をより一層抑制した高品質の電動機が得られる。
【００２１】
また、本発明の電動機は上記目的を達成するために、コンデンサの天面には凸部を設けたことを特徴とする電動機の構成としたものである。
【００２２】
この手段により、コンデンサの天面の強度が上がることから、金属ケースの天面の潰れが防止できるので、コンデンサの破損や、漏れ電流の増加をより一層抑制した高品質の電動機が得られる。
【００２３】
また、本発明の電動機は上記目的を達成するために、コンデンサは電解質を有機導電性化合物にて形成した固体電解コンデンサとしたことを特徴とする電動機の構成としたものである。
【００２４】
この手段により、金属ケース内に電解液を含有しないので、化学反応によりガスが発生することがないことから、マイグレーションの発生を防止した高品質の電動機が得られる。
【００２５】
また、本発明の電動機は上記目的を達成するために、コンデンサの天面近傍にはモールド成形時に発生するガスを逃がすガス排出部を設けたことを特徴とする電動機の構成としたものである。
【００２６】
この手段により、金属ケースの天面上部を流動するモールド樹脂の流動圧を下げることができることから、金属ケースの天面の潰れが防止できるので、コンデンサの破損や、漏れ電流の増加をより一層抑制した高品質の電動機が得られる。
【発明の効果】
【００２７】
本発明によれば、電機子巻線に供給される電圧を平滑するコンデンサの金属ケース下端の対角２ヶ所に塗布された接着剤の間を通り、コンデンサの封口ゴム下部を流動するモールド樹脂の流動圧により、金属ケース内の圧力が上昇し、金属ケース内の圧力と天面上部を流動するモールド樹脂の流動圧とが略同等になるので、金属ケースの側面および天面の潰れが防止できるので、コンデンサの破損や、漏れ電流の増加を抑制した高品質化を実現できるという効果のある電動機を提供できる。
【００２８】
また、本発明によれば、外部から供給される電源電圧を平滑するコンデンサの金属ケース下端の対角２ヶ所に塗布された接着剤の間を通り、コンデンサの封口ゴム下部を流動するモールド樹脂の流動圧により、金属ケース内の圧力が上昇し、金属ケース内の圧力と天面上部を流動するモールド樹脂の流動圧とが略同等になるので、金属ケースの側面および天面の潰れが防止できるので、コンデンサの破損や、漏れ電流の増加を抑制した高品質化を実現できるという効果のある電動機を提供できる。
【００２９】
また、本発明によれば、コンデンサのリード端子に掛かるモールド樹脂の流動による荷重が接着剤により緩和されることから、金属ケース内部の捲回素子とリード端子の接合部にはストレスが掛からないので、漏れ電流の増加を一層抑制した高品質化を実現できるという効果のある電動機を提供できる。
【００３０】
また、本発明によれば、コンデンサの天面の強度が上がることから、金属ケースの天面の潰れが防止できるので、コンデンサの破損や、漏れ電流の増加をより一層抑制した高品質化を実現できるという効果のある電動機を提供できる。
【００３１】
また、本発明によれば、コンデンサの天面の強度が上がることから、金属ケースの天面の潰れが防止できるので、コンデンサの破損や、漏れ電流の増加をより一層抑制した高品質化を実現できるという効果のある電動機を提供できる。
【００３２】
また、本発明によれば、金属ケース内に電解液を含有しないので、化学反応によりガスが発生することがないことから、マイグレーションの発生を確実に防止できるという効果のある電動機を提供できる。
【００３３】
また、本発明によれば、金属ケースの天面上部を流動するモールド樹脂の流動圧を下げることができることから、金属ケースの天面の潰れが防止できるので、コンデンサの破損や、漏れ電流の増加をより一層抑制した高品質化を実現できるという効果のある電動機を提供できる。
【発明を実施するための最良の形態】
【００３４】
本発明の請求項１記載の発明は、電機子巻線に供給される電圧を平滑するコンデンサは有天面円筒状の金属ケース内に陽極箔と陰極箔を捲回した捲回素子を収納し、ゴムで封口し、この封口ゴムを貫通して突出した陽極リード端子と陰極リード端子にて形成され、前記基板への実装固定は、直立させるとともに、前記金属ケース下端の対角２ヶ所に接着剤を塗布して固定したことを特徴とする電動機の構成としたものであり、コンデンサの金属ケース下端の対角２ヶ所に塗布された接着剤の間を通り、コンデンサの封口ゴム下部を流動するモールド樹脂の流動圧により、金属ケース内の圧力が上昇する。そして、金属ケース内の圧力と天面上部を流動するモールド樹脂の流動圧とが略同等になり、金属ケースを潰す応力が掛からないという作用を有する。
【００３５】
請求項２に記載の発明は、外部から供給される電源電圧を平滑するコンデンサは有天面円筒状の金属ケース内に陽極箔と陰極箔を捲回した捲回素子を収納し、ゴムで封口し、この封口ゴムを貫通して突出した陽極リード端子と陰極リード端子にて形成され、前記基板への実装固定は、直立させるとともに、前記金属ケース下端の対角２ヶ所に接着剤を塗布して固定したことを特徴とする電動機の構成としたものであり、コンデンサの金属ケース下端の対角２ヶ所に塗布された接着剤の間を通り、コンデンサの封口ゴム下部を流動するモールド樹脂の流動圧により、金属ケース内の圧力が上昇する。そして、金属ケース内の圧力と天面上部を流動するモールド樹脂の流動圧とが略同等になり、金属ケースを潰す応力が掛からないという作用を有する。
【００３６】
請求項３に記載の発明は、接着剤の塗布箇所は前記陽極リード端子から前記陰極リード端子に向かう方向に対して略垂直方向としたことを特徴とする電動機の構成としたものであり、リード端子に掛かるモールド樹脂の流動による荷重が接着剤により緩和されることから、金属ケース内部の捲回素子とリード端子の接合部にはストレスが掛からないという作用を有する。
【００３７】
請求項４に記載の発明は、コンデンサの天面は半球形状としたことを特徴とする電動機の構成としたものであり、コンデンサの天面の強度が上がるという作用を有する。
【００３８】
請求項５に記載の発明は、コンデンサの天面には凸部を設けたことを特徴とする電動機の構成としたものであり、コンデンサの天面の強度が上がるという作用を有する。
【００３９】
請求項６に記載の発明は、コンデンサは電解質を有機導電性化合物にて形成した固体電解コンデンサとしたことを特徴とする電動機の構成としたものであり、金属ケース内に電解液を含有しないので、化学反応によりガスが発生することがないという作用を有する。
【００４０】
請求項７に記載の発明は、コンデンサの天面近傍にはモールド成形時に発生するガスを逃がすガス排出部を設けたことを特徴とする電動機の構成としたものであり、金属ケースの天面上部を流動するモールド樹脂の流動圧を下げることができるという作用を有する。
【００４１】
以下、本発明の実施の形態について図面を参照しながら説明する。
【００４２】
（実施の形態１）
図１〜図５に示すように、１は電動機で、１０は複数のスロットを有する固定子鉄心１０ａに絶縁材にて形成されたインシュレータ１１を介して電機子巻線２を巻装した固定子で、３は回転子であり、プラスチックマグネットを射出成形時に極配向させてシャフト２０と一体成形して形成しており、主磁極部は極異方性磁石３ａとなっている。回転子３は固定子１０に対向し、回転自在に配置されている。４は極異方性磁石３ａの磁束密度分布を検知する磁束密度分布検知手段となるホール素子で、Ｑ１、Ｑ３、Ｑ５は上段側スイッチング素子で、Ｑ２、Ｑ４、Ｑ６は下段側スイッチング素子であり、ブリッジ接続してインバータ回路６を形成している。５は駆動ロジック制御手段で、電機子巻線２に所定の方向と順序で順次全波通電となるようスイッチング素子Ｑ１〜Ｑ６のＯＮ・ＯＦＦを制御し、電流波形制御手段７は磁束密度分布検知手段４によって検知した波形に略相似形になるように、スイッチング素子Ｑ１〜Ｑ６が飽和に近い非飽和状態になるようにフィードバックしながら出力バイアス電流を調整する。１５は商用交流電源を接続する交流電源接続手段であり、９は交流電源を全波整流する整流手段で、８は整流手段９にて全波整流されたリップルを有する高圧の電圧を４５Ｖ以下の低圧直流電圧に変換する降圧型のチョッパ回路にて形成された低圧直流電圧変換手段で、この低圧直流電圧変換手段８にて変換された低圧直流電圧はコンデンサ１２により平滑されて、インバータ回路６を介して電機子巻線２に供給される。そして、低圧直流電圧変換手段８と整流手段９の間には、外部より供給され全波整流した電圧を平滑するコンデンサ１３を配している。駆動回路１４はインバータ回路６と駆動ロジック制御手段５と電流波形制御手段７とコンデンサ１２より構成され、整流手段９とコンデンサ１３と低圧直流電圧変換手段８と駆動回路１４は同一の基板１６上に実装され、この基板１６と固定子１０は不飽和ポリエステル等の熱硬化性樹脂１７にてモールド成形されて外被を形成している。１８はブラケットで軸受け１９を保持している。ここで、コンデンサ１２とコンデンサ１３は、その電解質を有機導電性化合物とした固体電解コンデンサであり、有天面円筒状の金属ケース２３内に陽極箔２１ａと陰極箔２１ｂを捲回した捲回素子２１を収納し、ゴムで封口し、この封口ゴム２４を貫通して突出した陽極リード端子２２ａと陰極リード端子２２ｂにて形成され、封口ゴム２４には基板１６への実装固定時に金属ケース２３が基板１６に対して若干浮くように凸部２４ａを設けている。そして、コンデンサ１２およびコンデンサ１３の基板１６への実装固定は、基板１６に直立させるとともに、陽極リード端子２２ａから陰極リード端子２２ｂに向かう方向に対して略垂直方向の金属ケース２３下端の対角２ヶ所に弾性接着機能を有する接着剤２５（例えばシリコーン変性ポリマー系弾性接着剤）を塗布して固定している。また、熱硬化性樹脂１７にて一体的にモールドするモールド金型２６において、コンデンサ１２およびコンデンサ１３の近傍にはガス排出部２７設け、モールド金型２６にはモールド成形時に発生するガスをモールド金型２６の外部に逃がすエアーベント２８をガス排出部２７に隣接させ、真空装置（図示せず）を用いて、モールド成形時に発生するガスをガス排出部２７からエアーベント２８を通じてモールド金型２６の外部に吸引してモールド成形を行う構成である。
【００４３】
このような本発明の電動機１によれば、コンデンサ１２およびコンデンサ１３の金属ケース２３下端の対角２ヶ所に塗布された接着剤２５の間を通り、コンデンサの封口ゴム２４下部を流動する熱硬化性樹脂１７の流動圧により、金属ケース２３内の圧力が上昇する。そして、金属ケース２３内の圧力と天面２３ａ上部を流動する熱硬化性樹脂１７の流動圧とが略同等になり、金属ケース２３を潰す応力が掛からないことから、金属ケース２３の側面および天面２３ａの潰れが防止できるので、コンデンサの破損や、漏れ電流の増加を抑制した高品質化を実現できるという効果のある電動機を提供できる。
【００４４】
また、封口ゴム２４に凸部２４ａを設けて、金属ケース２３が基板１６に対して若干浮くようにしているので、封口ゴム２４下部を流動する熱硬化性樹脂１７の流動圧が極端に高くなることを抑制するため、封口ゴム２４へのストレスが軽減されることとなる。
【００４５】
また、弾性接着機能を有する接着剤２５の塗布箇所は前記陽極リード端子２２ａから前記陰極リード端子２２ｂに向かう方向に対して略垂直方向としたことにより、リード端子に掛かる熱硬化性樹脂１７の流動による荷重が接着剤２５により緩和されることから、金属ケース２３内部の捲回素子とリード端子の接合部にはストレスが掛からないので、漏れ電流の増加を一層抑制した高品質化を実現できるという効果のある電動機を提供できる。
【００４６】
また、コンデンサ１２およびコンデンサ１３は、その電解質を有機導電性化合物とした固体電解コンデンサとすることにより、金属ケース２３内に電解液を含有しないので、化学反応によりガスが発生することがないため、マイグレーションの発生を確実に防止できるという効果のある電動機を提供できる。さらには、固体電解コンデンサの寿命は電解質の酸化劣化によるので、モールドすることにより酸化が抑制されることとなり、コンデンサの寿命が長くなるという効果がある。
【００４７】
また、コンデンサの天面２３ａ近傍にはモールド成形時に発生するガスを逃がすガス排出部２７を設けることにより、金属ケース２３の天面２３ａ上部を流動する熱硬化性樹脂１７の流動圧を下げることができるので、金属ケース２３の天面２３ａの潰れが防止できるため、コンデンサの破損や、漏れ電流の増加をより一層抑制した高品質化を実現できるという効果のある電動機を提供できる。
【００４８】
なお、本実施の形態１では電機子巻線２にインバータ回路６を介して供給する電圧を平滑するコンデンサ１２と、外部から電動機１に供給される電源電圧を平滑するコンデンサ１３の両方を電動機１内部に内蔵してモールドした構成としたが、どちらか一方のみを内蔵する電動機の構成であっても、高品質化を実現した電動機を得られることに差異は生じない。
【００４９】
また、本実施の形態１では３相全波駆動の電動機の構成としたが、２相全波駆動であっても、２相半波駆動であっても良く、有天面円筒状の金属ケース２３内に陽極箔２１ａと陰極箔２１ｂを捲回した捲回素子２１を収納し、ゴムで封口し、この封口ゴム２４を貫通して突出した陽極リード端子２２ａと陰極リード端子２２ｂにて形成されたコンデンサを基板１６に直立させるとともに、金属ケース２３下端の対角２ヶ所に弾性接着機能を有する接着剤２５を塗布した後にモールド成形して電動機を構成することによる作用効果に差異を生じない。
【００５０】
また、図６に示すように、コンデンサの天面を半球形状２３ｂや、凸部２３ｃを設けた形状とすることによって、コンデンサの天面の強度が上がるため、金属ケースの天面の潰れが防止できるので、コンデンサの破損や、漏れ電流の増加をより一層抑制した高品質化を実現できるという効果のある電動機を提供できることとなる。
【産業上の利用可能性】
【００５１】
以上のように、本発明にかかる電動機は、コンデンサの破損や、漏れ電流の増加を防止することができることから、コンデンサの静電容量の大容量化が必要で、そのためには電解コンデンサの使用が必須となる電気機器である換気装置、給湯機、空気清浄機、エアコン、クリーンルーム用送風ユニットなどへの搭載が有用である。
【図面の簡単な説明】
【００５２】
【図１】本発明の実施の形態１における電動機を示す断面図
【図２】同電動機のコンデンサを基板に実装固定した状態を示す斜視図
【図３】同電動機のモールド成形時の状態を示す断面図
【図４】同電動機に搭載したコンデンサを示す断面図
【図５】同電動機を示すブロック図
【図６】同電動機に搭載したコンデンサにおける他の天面形状を示す断面図
【図７】従来の電動機を示す断面図
【図８】同電動機における保護ケースにコンデンサを収納した状態の斜視図
【図９】従来の他の電動機を示す斜視図
【図１０】同電動機における電解コンデンサおよびモールド成形保護ケースの斜視図
【図１１】同電動機におけるモールド成形保護ケース付き電解コンデンサの取り付け状態を示す断面図
【符号の説明】
【００５３】
１      電動機
２      電機子巻線
３      回転子
３ａ    極異方性磁石
４      磁束密度分布検知手段
５      駆動ロジック制御手段
６      インバータ回路
７      電流波形制御手段
８      低圧直流電圧変換手段
９      整流手段
１０    固定子
１０ａ  固定子鉄心
１１    インシュレータ
１２    コンデンサ
１３    コンデンサ
１４    駆動回路
１５    交流電源接続手段
１６    基板
１７    熱硬化性樹脂
１８    ブラケット
１９    軸受け
２０    シャフト
２１    捲回素子
２１ａ  陽極箔
２１ｂ  陰極箔
２２ａ  陽極リード端子
２２ｂ  陰極リード端子
２３    金属ケース
２３ａ  天面
２３ｂ  半球形状天面
２３ｃ  凸部
２４    封口ゴム
２４ａ  凸部
２５    接着剤
２６    モールド金型
２７    ガス排出部
２８    エアーベント
Ｑ１    上段側スイッチング素子
Ｑ２    下段側スイッチング素子
Ｑ３    上段側スイッチング素子
Ｑ４    下段側スイッチング素子
Ｑ５    上段側スイッチング素子
Ｑ６    下段側スイッチング素子
【図１】
2006014478.tif 000003
【図２】
2006014478.tif 000004
【図３】
2006014478.tif 000005
【図４】
2006014478.tif 000006
【図５】
2006014478.tif 000007
【図６】
2006014478.tif 000008
【図７】
2006014478.tif 000009
【図８】
2006014478.tif 000010
【図９】
2006014478.tif 000011
【図１０】
2006014478.tif 000012
【図１１】
2006014478.tif 000013